(57)【要約】      （修正有）【課題】不織布等による無地一色のマスクであっても洒落た外観のマスクに見え、さらに抗ウィルスや抗菌性を発揮できるようにした着脱式のマスクカバーを提供する。【解決手段】人の口と鼻を覆うマスク本体と耳に係止される耳掛け紐をマスク本体の左右側部に備えるマスクに対し着脱式で装着されるマスクカバーであって、抗菌性を付与した生地をマスク本体を覆うことができる大きさに裁断し、表面に適宜印刷を施して形成したカバー体生地１と、該カバー体生地１の左右側端近傍に設けたマスクの耳掛け紐を通す縦向きのスリット４、５と、カバー体生地１の左右方向の略中央部に設ける上端から下端に向けた略Ｖ状の第一切欠２と下端から上端に向けた略逆Ｖ状の第二切欠３と、第一切欠２の略Ｖ状と第二切欠３の略逆Ｖ状の夫々の縁辺２ａ、２ｂと３ａ、３ｂを接合しカバー体生地１の略中央部分に形成した略山形の中高の立体部とを備える。【選択図】図２
0003228102.tif 000002
【実用新案登録請求の範囲】
【請求項１】
人の口と鼻を覆うマスク本体と耳に係止される耳掛け紐を前記マスク本体の左右側部に備えるマスクに対し着脱式で装着されるマスクカバーであって、
抗菌性を付与した生地を前記マスク本体を覆うことができる大きさに裁断し表面に適宜印刷を施して形成したカバー体生地と、該カバー体生地の左右側端近傍に設けた前記マスクの耳掛け紐を通す縦向きのスリットと、前記カバー体生地の左右方向の略中央部に設ける上端から下端に向けた略Ｖ状の第一切欠と下端から上端に向けた略逆Ｖ状の第二切欠と、前記第一切欠の略Ｖ状と第二切欠の略逆Ｖ状の夫々の縁辺を接合し前記カバー体生地の略中央部分に形成した略山形の中高立体部とを備えるマスクカバー。
【請求項２】
カバー体生地は、インクジェットプリントができる織布、編布、不織布から選ばれたものである請求項1に記載のマスクカバー。
【請求項３】
カバー体生地の抗菌性は、抗菌剤を含む液体に前記カバー体生地を浸漬して付与した請求項1又は2に記載のマスクカバー。
【請求項４】
カバー体生地のスリットは、上下端部を半円弧状に形成した請求項1〜3のいずれかに記載のマスクカバー。
【考案の詳細な説明】
【技術分野】
【０００１】
本考察は、マスクの外面に着脱式で装着するマスクカバーに関する
【背景技術】
【０００２】
近時、新型コロナウィルス(以下、ウィルスという)が、地球規模で蔓延し、近年稀に見る人に対する重大なウィルス災害となっており、未だ収束していない。
【０００３】
このウィルスの感染を防ぐために、人が密集しないなどの種々の対応措置が採られているが、マスクをすることが感染防止の第一とされているため、外出時には勿論のこと室内においてもマスクを着用することが日常化している。
【０００４】
ところで、マスクは日々に新しいものに取替えて使用するため、不織布等の低コスト材料で染色なども施さない白色等の無地のものとして価格を抑えたものが殆どである。しかし、毎日着装するマスクが不織布製で白地無地などの外観や体裁では、人が毎日身に付けるものとしては興趣に悖る
【０００５】
しかも不織布製などの低価格のマスクは、単に咳やくしゃみをした時の飛沫を周りに放散させない機能がほぼ全てであるため、医療従事者用の高機能マスクのようにマスク内にウィルスの吸引・侵入を防ぐ機能は備えていない。
【０００６】
しかし、不織布製等の低価格マスクであっても、着脱式のマスクカバーを装着することにより、無地一色の不粋な外観を全く異なる印象の洒落た外観に変え、さらにそのマスクを抗ウィルス機能を備えたものにできれば、元のマスクの利用価値を高めることができる。
【先行技術文献】
【特許文献】
【０００７】
【特許文献１】実用新案登録第３０４３７３３号公報
【特許文献２】実用新案登録第３１４５２５４号公報
【特許文献３】実用新案登録第３１５５８４５号公報
【考案の概要】
【考案が解決しようとする課題】
【０００８】
そこで本考案は、不織布等による無地一色のマスクであっても洒落た外観のマスクに見え、さらに抗ウィルス性や抗菌性（以下、単に抗菌性という。）を発揮できるようにした着脱式のマスクカバーを提供することを課題とする。
【課題を解決するための手段】
【０００９】
上記課題を解決するために考案されたマスクカバーは、人の口と鼻を覆うマスク本体と耳に係止される耳掛け紐を前記マスク本体の左右側部に備えるマスクに対し着脱式で装着されるマスクカバーであって、抗菌性を付与した生地を前記マスク本体を覆うことができる大きさに裁断し表面に適宜印刷を施して形成したカバー体生地と、該カバー体生地の左右側端近傍に設けた前記マスクの耳掛け紐を通す縦向きのスリットと、前記カバー体生地の左右方向の略中央部に設ける上端から下端に向けた略Ｖ状の第一切欠と下端から上端に向けた略逆Ｖ状の第二切欠と、前記第一切欠の略Ｖ状と第二切欠の略逆Ｖ状の夫々の縁辺を接合し前記カバー体生地の略中央部分に形成した略山形の中高立体部とを備えることを特徴とする。
【００１０】
本考察において、カバー体生地は、抗菌性を付与するために、生地の状態で抗菌剤を含む液に浸漬するが、抗菌剤は塗布や噴霧によって生地に付与してもよい。
【００１１】
前記カバー体生地は、レーザーカットで裁断すると、サイズや形状を、鋏などの刃物による裁断に比べ、自由度が高く任意かつ容易に形成することができる。
【００１２】
前記カバー体生地には、織布、編布、不織布などの柔軟なシート状材料で抗菌剤を保持できるものを使用できるが、ポリエステル等の化学繊維製織布の生地では、低価格、低コストのイングジェットプリンターによる昇華型プリント加工のフルカラープリントが可能になる。そうすると、マスクカバーに無製版で小ロットの様々な文字、図形などの絵柄や模様等のデザインを低コストで容易に形成することができる。
【００１３】
また、カバー体生地は、中央部の上、下部をＶ状に及び逆Ｖ状にカットしてそのカット部を、ウェルダ、接着、縫着などにより接合し、山形状の中高に形成しているから、マスクの立体感に沿った一体感を高めることができる。本考案ではＶ状、逆Ｖ状にカットせず、Ｖ状と逆Ｖ状にカバー体生地をその生地の裏側で摘み、摘まんだ線に沿って縫合等によって接合し立体化することもできる。
【考案の効果】
【００１４】
本考察マスクカバーは、抗菌剤を含浸させた生地を前記マスク本体を覆うことができる大きさに裁断し表面に適宜印刷を施してなるカバー体生地に、その左右側端部に前記耳掛け紐を通す縦向きのスリットを設け、さらにそのカバー体生地の左右方向の略中央部に、上端から下端に向けた略Ｖ状の第一切欠と下端から上端に向けた略逆Ｖ状の第二切欠を設けて前記第一切欠の略Ｖ状と第二切欠の略逆Ｖ状を夫々に接合し、カバー体生地の略中央部を略山形の中高立体状に形成したから、カバーするマスク本体の着脱性、装着感などの機能を一切損なうことがなく、プリントした図柄などの嗜好を楽しむことができ、しかもマスクが抗ウィルス機能を備えたマスクカバーで補完されることになる。
【００１５】
また、本考案マスクカバーは、両側の縦スリットにマスク側の耳掛け紐を通すだけでマスクと一体化されてマスクに保持させることができ、さらにマスクカバーのマスクへの着脱操作は至って簡単容易であるから、好みに合ったマスクカバーを日々取り替えながら利用できて便利である。
【図面の簡単な説明】
【００１６】
【図１】本考案マスクカバー用にレーザーカット等で裁断したカバー本体生地の一例の平面図。
【図２】図１のカバー本体生地のＶ状の第一切欠と逆Ｖ状の第二切欠をそれぞれに接合して、カバー本体生地を中央部が略山形の中高立体状になった本考案マスクカバーの斜視図。
【図３】本考案マスクカバーを二つ折りした平面図。
【考案を実施するための形態】
【００１７】
次に図を参照して本考案マスクカバーの実施形態の一例について説明する。
【００１８】
図において、１は例えばポリエステル製生地を、マスク(図示せず)の略正面形状(又は平面形状)に則してレーザーカットや鋏などで裁断したカバー体生地である。カバー体生地１は、その他の繊維による織布や編布、或は不織布であってもよい。また図の例では横長略六角形状にしたが、横長の略長方形状であってもよい。
【００１９】
前記カバー体生地１は、裁断の前、又は裁断の後に、細菌の増殖等を抑えることができる抗菌剤、例えばトリクロサンやトリクロカルバン等を含む液中に浸漬して乾燥させることにより抗菌性が付与されている。
【００２０】
前記カバー体生地１は、広げた平面状態(図１参照)の左右幅における中間部位の上部と下部に、上部には略Ｖ状の第一切欠２を、下部には略逆Ｖ状の第二切欠３を設けている。
【００２１】
４，５は前記カバー体生地１の左右の側端近くに縦向きに設けた、マスクの耳掛け紐を通すためのスリットである。スリット４とスリット５の上下の端部には略半円状のストッパ４ａと５ａが形成されている。スリット４，５が裂開するのを防ぐためである。
【００２２】
第一切欠２と第二切欠３、及び左右のスリット４，５を設けたカバー体生地１は、この段階でマスクカバーの表側になる面に適宜の印刷６を施す。この印刷６は、カバー体生地１にポリエステル生地などのようにインクジェットプリントが可能な生地を用いていると、インクジェットプリンターを使った昇華プリント加工によるフルカラープリントを、無製版で製作できる。よってロットの多少に拘わらず、カバー体生地１に所望のデザインによる文字や図形などの印刷６を自由に施すことができる。
【００２３】
上記印刷６がカバー体生地１の表面に施されると、先に形成された略Ｖ状の第一切欠２と略逆Ｖ状の第二切欠３を、夫々の左右の縁辺２ａ、２ｂ、及び縁辺３ａ、３ｂにおいて、縫製、ノリ接着(通常接着剤)、アイロン接着(熱溶融接着剤)、ウェルダー接着(超音波や高周波による溶着)のいずれかによって接合一体化する。これによってカバー体生地１を、図２に例示するように、生地の中央部が略山形状で中高になった立体状（中高立体部）にすることができる。
【００２４】
上記のようにしてカバー体生地１は、抗菌性が付与され裁断されてから立体化されることにより本考案マスクカバーＭＣに形成される。
【００２５】
本考案マスクカバーＭＣは、図示しないマスクを顔に着ける前にそのマスク本体の上に重ね、この状態でマスク本体の左右の耳掛け紐（図示せず）を、右側の紐はマスクカバーＭＣのスリット４に裏から通しカバーの前面側へ出し、左側の耳掛け紐はスリット５に裏から通しカバーの前面側へ出すことにより、当該マスクの上にそのカバーとして配置される。
【００２６】
上記のように本考案マスクカバーＭＣは、マスクにその上から被せた形でそのマスクをカバーできるから、当該マスクをその左右の耳掛け紐を左右の耳に引掛けると、マスクに重なって一体状態になったままの姿でマスクに保持される。
【００２７】
本考案マスクカバーＭＣをマスクから外すには、マスクを外した時に、マスク本体の左右の耳掛け紐を、マスクカバーＭＣのスリット４，５から抜けば、マスク本体からマスクカバーＭＣが離れる。
【００２８】
マスクから外した本考案マスクカバーＭＣは、これを中央部分（接合された第一切欠２と第２切欠３を結ぶ線）において２つ折りすると、図３に示す平面形状の略おむすび形に折畳めるから、この状態でポケットや財布等に収容して保管することができる。
【００２９】
本考案マスクカバーは以上の通りであるから、無地一色で興趣に乏しい不織布製等のマスクを、抗菌性を備えて好みのデザインが施された見映え良好なマスクに変化させることができる。
【符号の説明】
【００３０】
ＭＣ  本考案マスクカバー
１  カバー体生地
２  第一切欠
３  第二切欠
４，５  耳掛け紐用のスリット
６  印刷
【図１】
0003228102.tif 000003
【図２】
0003228102.tif 000004
【図３】
0003228102.tif 000005